(57)【要約】【課題】      フックに掛けた獲物が安定して支持される釣り用ギャフを提供することである。【解決手段】  釣り用ギャフ１は、釣った魚やイカ等の獲物Ｅを引っ掛ける鈎状のフック２と柄３を有し、フック２の基部２a側には環状に形成された支持体４が設けられている。  支持体４は、フック２の折り返し部２ｂの湾曲方向に対しこれと交差する方向に延びて基部２ａより外側に突出するように形成され、フック２の基部２ａが配された領域より左右側に突出して配され、フック２に掛けた獲物Ｅを支持体４で広く支持できるようになっている。【選択図】        図１
2009005617.tif 000002
【特許請求の範囲】
【請求項１】
柄とフックを有する釣り用ギャフにおいて、前記フックの基部側に前記フックに掛かった獲物を支持する支持体を設けたことを特徴とする釣り用ギャフ。
【請求項２】
前記支持体は環状のフレーム体で形成したことを特徴とする請求項１に記載の釣り用ギャフ。
【請求項３】
フックは、支持体に固定されていることを特徴とする請求項１または２に記載の釣り用ギャフ。
【発明の詳細な説明】
【技術分野】
【０００１】
本発明は、釣った獲物を引っ掛けて取り込むための釣り用ギャフに関する。
【背景技術】
【０００２】
従来から釣った獲物を確実に取り込むために釣り用ギャフが使用されている。
このような釣り用ギャフは、柄とその先端に獲物を引っ掛けるためのフックを有し、釣りで掛かった獲物を水面に浮かせたところで柄を延ばし、柄の先端に取り付けたフックで引っ掛けて取り込んでいた。
ところが、フックに掛けた獲物を引き寄せるときはフックの先端側を上方に向けるため、獲物がフックの基部側に載ってしまうと不安定な状態となってしまい、柄を引き寄せて確実に獲物を取り込むことが難しかった。
【特許文献１】実用新案登録第３０９１２７７号公報
【発明の開示】
【発明が解決しようとする課題】
【０００３】
解決しようとする問題点は、フックに掛けた獲物を引き寄せるとき、獲物がフックの基部側に載ってしまうと不安定な状態となってしまうため、柄を引き寄せて確実に獲物を取り込むことが難しいことである。
【０００４】
本発明の目的は、前記欠点に鑑み、フックに掛けた獲物を引き寄せるとき、獲物が安定して支持される釣り用ギャフを提供することである。
【課題を解決するための手段】
【０００５】
本発明の請求項１は、柄とフックを有する釣り用ギャフにおいて、前記フックの基部側に前記フックに掛かった獲物を支持する支持体を設けたことを要旨とするものである。
本発明の請求項２は、前記支持体は環状のフレーム体で形成したことを要旨とするものである。
本発明の請求項３は、フックは、支持体に固定されていることを要旨とするものである。
【発明の効果】
【０００６】
本発明の請求項により、フックに掛けた獲物を引き寄せるとき、獲物がフックの基部側に設けた支持体で安定して支持されるため確実に獲物を取り込むことができる。
【発明を実施するための最良の形態】
【０００７】
以下、図示した実施例によって本発明を説明すると、図１および図２は本願の第１の実施例で、図１は釣り用ギャフの全体図、図２は釣り用ギャフのフックの拡大図である。
【０００８】
釣り用ギャフ１は、釣った魚やイカ等の獲物Ｅを引っ掛ける鈎状のフック２と柄３を有し、フック２の基部２a側には環状に形成された支持体４が設けられている。
【０００９】
フック２は、柄３の先端３ａから前方に延びる基部２ａとこの基部２ａの先端側から延びる湾曲状の折り返し部２ｂとさらに折り返し部２ｂの先端から柄３に向けて延び先細り状に形成された先端部２ｃを有している。
【００１０】
この実施例の釣り用ギャフ１は、３本のフック２（Ｆ１、Ｆ２、Ｆ３）を有し、３本のフック２のうち左右両側に位置するＦ１、Ｆ３はその基部２ａが支持体４に固定され、中央に位置するＦ２は、支持体４に固定され、さらに、柄３の先端３ａに嵌合して固定されている。
【００１１】
支持体４は、その両端部が柄３の先端３ａに嵌合されて固定され、環状に形成されて柄３の先端部３ａから前方に突出している。
支持体４は、フック２の折り返し部２ｂの湾曲方向に対しこれと交差する方向に湾曲して先端部２ｃ方向から見て環状となる環状体を形成し、この支持体４におけるフック２の先端部２ｃと対向する側の面（上面）が折り返し部２ｂの湾曲方向と交差する方向に延設され先端部２ｃに向けて環状の支持部Ｓとその中央側の空間４ａを形成する。
支持体４は、フック２の基部２ａの下側（折り返し部２ｂが形成された反対側面）を支持し、フック２の基部２ａの変形を防止している。
【００１２】
フック２の基部２ａと折り返し部２ｂと先端部２ｃで囲まれた領域で形成される面に対し、環状の支持体４で囲まれた領域で形成される面が交差するように形成されているが、この実施例では両者の面が略直交するように交差するためフック２に掛かった獲物Ｅを支持体４でより確実に支持できる。
【００１３】
３本のフック２（Ｆ１、Ｆ２、Ｆ３）の基部２ａは左右方向に間隔を開けて並設されて支持体４に固定され、支持体４は左右両側のフック２であるＦ１、Ｆ２のそれぞれの基部２ａより外側に突出するように形成されてフック２の基部２ａが配された領域より左右側に突出して配されることでフック２に掛けた獲物Ｅのバランスを取って、広く支持できるようになっている。
【００１４】
支持体４で囲まれた中央側は空間４ａが形成されフック２に獲物Ｅを掛けるときに空間４ａから水が抜けて水の抵抗が少なくなり、水中にフック２を差し込んで獲物Ｅを掛ける操作を規制しないようになっている。
また、環状の支持体４の中央側に網状部を形成すると獲物Ｅ支持がより良好になり、しかも、網目の空間４ａから良好に水が抜けて同様の効果が得られる。
【００１５】
フック２と支持体４は、鉄、ステンレス、チタン合金等の金属で形成され互いに溶接で固定されるが、両者またはいずれか一方を合成樹脂で形成してもよい。
【００１６】
柄３は長尺な棒状に形成され、獲物Ｅを掛けるときにフック２を獲物Ｅ近傍に容易に差し出すことができるようになっている。
柄３の先端３ａにはフック２（Ｆ２）と支持体４が取り付けられ、柄３の基端３ｂ側は握持部となっている。
なお、フック２（Ｆ２）の他にフック２（Ｆ１、Ｆ３）を柄３の先端３ａに取り付けてもよいし、また、柄３の先端３ａには支持体４が取り付けられ、３本のフック２（Ｆ１、Ｆ２、Ｆ３）をともに支持体４に取り付けて、３本のフック２（Ｆ１、Ｆ２、Ｆ３）をすべて支持体４を介して柄３に取り付けてもよい。
【００１７】
図２のように、支持体４は、フック２の先端部２ｃの自由端（尖端）２ｄよりも前方に延設されて先端部２ｃと基部２ａの間の間隙Ｋを介して先端部２ｃと対向しているため、フック２で引っ掛けた獲物Ｅの下側を確実に支持できるようになっている。
しかも、支持体４と先端部２ｃは対向して配されているため、獲物Ｅは大きさによって支持体４と先端部２ｃの間に狭持され、獲物Ｅの動きを規制しながら取り込むことができる。
【００１８】
このように形成された釣り用ギャフ１を使用するときは、釣りで掛かった獲物が水面に浮いたときに、柄３の基端３ｂ側の握持部を持ってフック２を獲物Ｅに差し出し、フック２の先端部２ｃを上方に向けた状態で獲物Ｅを引っ掛ける。
この時、獲物Ｅは図１および図２に示すように支持体４の上面側に載って下側から支持体４に支持される。
この状態で、フック２に掛かった獲物Ｅを引き寄せると、獲物Ｅが支持体４に支持されているため安定し、フック２からの脱落を防止して取り込むことができる。
【００１９】
また、支持体４は、フック２の基部２ａが配された領域より左右両側に突出して配されているため、より獲物Ｅの支持領域が広がって安定させることができる。
なお、獲物Ｅがフック２の掛かり具合によって支持体４に触れていなくても、支持体４でフック２の基部２ａが下側から支持されてフック２の撓みが規制され、また、獲物Ｅがフック２の基部２ａに接しているだけでも、支持体４でフック２の基部２ａが下側から支持されるため、フック２に掛かった獲物Ｅは安定して支持される。
【００２０】
また、図３および図４は、第２の実施例で、図３は釣り用ギャフの全体図、図４は釣り用ギャフのフックの拡大図である。
【００２１】
この実施例は、第１の実施例と同様に柄３の先端３ａに３本のフック２（Ｆ１、Ｆ２、Ｆ３）と環状の支持体４がそれぞれ取り付けられているが、３本のフック２と支持体４は互いに接合されていない。
支持体４は、３本のフック２の基部２ａの下側に配され、支持体４は、フック２の基部２ａに僅かな間隙を有しているが、フック２で獲物Ｅを引っ掛けて荷重が掛かって下側に撓んだときにフック２を支持するようになっている。
【００２２】
このように形成した釣り用ギャフ１においても、フック２に引っ掛けた獲物Ｅは支持体４または、支持体４に保持されたフック２の基部２ａに支持されて安定し、フック２からの脱落が防止される。
その他は、第１の実施例と同様である。
【００２３】
また、図５および図６は、第３の実施例で、図５は釣り用ギャフの全体図、図６は釣り用ギャフのフックの拡大図である。
【００２４】
この実施例は、１本のフック２が柄３の先端３ａに取り付けられている。
このフック２は基部２ａに一体に環状の支持体４が形成されている。
この支持体４が基部２ａの左右両側に突出し、支持体４は、フック２の折り返し部２ｂの湾曲方向に対しこれと交差する方向に延びて環状体を形成し、この支持体４のフック２の先端部２ｃと対向する側の面が折り返し部２ｂの湾曲方向と交差する方向に広がった支持部Ｓとその中央の空間４ａを形成する。
支持体４はフック２の基部２ａより左右側に突出して配されることでフック２に掛けた獲物Ｅを広く支持できるようになっている。
【００２５】
第３の実施例では柄３が複数の柄部材が振り出し状に収納されて、これを引き出すことで柄の長さを伸縮可能に形成している。
環状の支持体４はフック２の基部２ａに一体に形成したが、一体成型する他、フック２の基部２ａに支持体４を溶接等で取り付けて一体に形成してもよい。
また、第３の実施例では１本のフック２の基部２ａに支持体４を形成したが、支持体４を環状以外の形状にしたり、支持体４を有するフック２を複数本取り付けて基部２ａから左右側に突出する支持体４を有する釣り用ギャフ１を形成してもよい。
さらに、支持体４を環状以外の形状にしたフック２を複数本設けて、この複数本のフック２の支持体４が組み合わされて環状になるように釣り用ギャフ１を形成してもよい。
その他は、第１の実施例と同様である。
【産業上の利用可能性】
【００２６】
本発明は釣り用ギャフ全般に利用できる。
【図面の簡単な説明】
【００２７】
【図１】第１の実施例で、釣り用ギャフの全体図である。
【図２】同釣り用ギャフのフックの拡大図である。
【図３】第２の実施例で、釣り用ギャフの全体図である。
【図４】同釣り用ギャフのフックの拡大図である。
【図５】第３の実施例で、釣り用ギャフの全体図である。
【図６】同釣り用ギャフのフックの拡大図である。
【符号の説明】
【００２８】
１    釣り用ギャフ
２    フック
３    柄
４    支持体
【図１】
2009005617.tif 000003
【図２】
2009005617.tif 000004
【図３】
2009005617.tif 000005
【図４】
2009005617.tif 000006
【図５】
2009005617.tif 000007
【図６】
2009005617.tif 000008